(57)【特許請求の範囲】
【請求項１】
水平に展張されて反復跳躍運動が可能な内部網と、
該内部網の外周縁に連続して水平に展張され、反復跳躍運動中に前記内部網から外れた使用者の墜落を防止する外部網とを有する安全トランポリンであって、
前記内部網と外部網との連結部分と、該外部網の外周縁とが、略垂直に設けられた複数本の板ばねによりそれぞれ下方から支持された安全トランポリン。
【請求項２】
前記板ばねが、
前記外部網の外周縁に上端部が連結された第１の板ばねと、
上記内部網および外部網の連結部分にその上端部が連結された第２の板ばねと、
前記第１の板ばねの下部および第２の板ばねの下部を連結する連結部とを有する請求項１に記載の安全トランポリン。
【請求項３】
前記内部網の外周縁および外部網の内周縁には、各先部が前記連結環にそれぞれ連結される複数本の連結紐の各元部が取り付けられ、前記第２の板ばねの上端部には、前記連結紐を介して、内部網と外部網とを連結する連結構造体が設けられ、
該連結構造体が、
前記第２の板ばねの上端部に固定された円筒形状の連結環と、
前記連結環に外着される外部緩衝部材と、
前記連結環に内着される内部緩衝部材とを有し、
前記連結環および外部緩衝部材の各内部網側の端部には、前記連結紐が掛け渡される複数本の平行片および該平行片間に画成された紐通し孔を有する結合部をそれぞれ設け、前記連結環および外部緩衝部材の各外部網側の端部にも、前記結合部をそれぞれ設けた請求項２に記載の安全トランポリン。
【発明の詳細な説明】
【０００１】
【発明の属する技術分野】
この発明は安全トランポリン、詳しくは快適で安全性の高い反復跳躍運動を楽しめる安全トランポリンに関する。
【０００２】
【従来の技術】
トランポリンは、老若男女を問わず、だれもが反復跳躍運動を楽しめる運動器具として知られている。
従来のトランポリンは、複数本の支柱で支えられた平面視して円形状の枠体の内側に、軸線方向が水平面に沿った多数本のコイルスプリングを介して、大判の網が水平に展張された構成を有している。
使用者は網の上に乗り、そこで屈伸運動を繰り返すことで、コイルスプリングのばね力を利用し、徐々にその跳躍の高さを大きくするものである。
【０００３】
【発明が解決しようとする課題】
しかしながら、従来のトランポリンにあっては、使用者が反復跳躍運動する網の外周に、枠体やコイルスプリングが存在する。そのため、トランポリンの上面全域では、この反復跳躍運動を行うことができなかった。
また、従来のトランポリンにあっては、これらのコイルスプリングが網の外周縁に沿って一定間隔ごとに配設されている。したがって、網と枠体とのあいだに大きな隙間が現出し、この隙間に反復跳躍運動中の使用者が落ち込むおそれがあった。
【０００４】
そこで、発明者は、鋭意研究の結果、反復跳躍運動が可能な内部網の外周縁に、コイルスプリングおよび枠体に代えて、反復跳躍運動中の内部網から外れた使用者の墜落を防止する外部網を配設し、これらの内部網および外部網を、略垂直な複数本の板ばねによりそれぞれ支持すれば、トランポリンの上面の略全域で反復跳躍運動を行うことも可能となり、しかも反復跳躍運動中、落下位置が正規の跳躍運動の範囲（内部網）ではなく、それにより外方に落下した場合でも、使用者がトランポリンから墜落しないことを知見し、この発明を完成させた。
【０００５】
【発明の目的】
この発明は、トランポリンの上面の略全域で使用者が快適に反復跳躍運動を行うことができ、また反復跳躍運動中、トランポリンから使用者が墜落するおそれが少ない安全トランポリンを提供することを、その目的としている。
また、この発明は、板ばねの強度を高めることができる安全トランポリンを提供することを、その目的としている。
さらに、この発明は、反復跳躍運動中に使用者が第２の板ばねの上に落下したときの衝撃吸収性が高い安全トランポリンを提供することを、その目的としている。
【０００６】
【課題を解決するための手段】
請求項１に記載の発明は、水平に展張されて反復跳躍運動が可能な内部網と、該内部網の外周縁に連続して水平に展張され、反復跳躍運動中に前記内部網から外れた使用者の墜落を防止する外部網とを有する安全トランポリンであって、前記内部網と外部網との連結部分と、該外部網の外周縁とが、略垂直に設けられた複数本の板ばねによりそれぞれ下方から支持された安全トランポリンである。
内部網は、その上面で使用者が反復跳躍運動するため、高い弾力性を得られる合成繊維によって製作した方が好ましい。ただし、従来と同じ網用の合成糸でもよい。外部網は、主にナイロン糸で作製したものが好ましい。
また、外部網の外周部に多数本の連結紐を取り付け、これらの連結紐と第１の板ばねの上端とをゴムバンドによって結束してもよい。
この安全トランポリンの平面視した形状は限定されない。例えば正方形，長方形，六角形などの多角形、円形、楕円形などを採用することができる。また、その大きさは、設置する場所に応じて適宜決定される。
【０００７】
請求項２に記載の発明は、前記板ばねが、前記外部網の外周縁に上端部が連結された第１の板ばねと、上記内部網および外部網の連結部分にその上端部が連結された第２の板ばねと、前記第１の板ばねの下部および第２の板ばねの下部を連結する連結部とを有する請求項１に記載の安全トランポリンである。
このような形状の板ばねは、従来の単なるコイルスプリングと違い、構造的に反復跳躍運動中の使用者を支える強度が得やすい。そのため、トランポリン用のばねには最適である。
【０００８】
請求項３に記載の発明は、前記内部網の外周縁および外部網の内周縁には、各先部が前記連結環にそれぞれ連結される複数本の連結紐の各元部が取り付けられ、前記第２の板ばねの上端部には、前記連結紐を介して、内部網と外部網とを連結する連結構造体が設けられ、該連結構造体が、前記第２の板ばねの上端部に固定された円筒形状の連結環と、前記連結環に外着される外部緩衝部材と、前記連結環に内着される内部緩衝部材とを有し、前記連結環および外部緩衝部材の各内部網側の端部には、前記連結紐が掛け渡される複数本の平行片および該平行片間に画成された紐通し孔を有する結合部をそれぞれ設け、前記連結環および外部緩衝部材の各外部網側の端部にも、前記結合部をそれぞれ設けた請求項２に記載の安全トランポリンである。
【０００９】
【作用】
請求項１の発明によれば、使用者が内部網の上に乗り、そこで屈伸運動を繰り返すと、板ばねのばね力によって、徐々にその跳躍の高さが大きくなる。こうして、使用者が反復跳躍運動を楽しめる。
反復跳躍運動中、使用者の落下位置が内部網ではなく、それより外方にはずれる場合がある。そのとき、従来のトランポリンでは、網の外周に配されたコイルスプリングの上に落下し、使用者が網と枠体との隙間に落ち込むおそれがあった。しかしながら、この発明の安全トランポリンによれば、内部網の外周に外部網が配置されているため、使用者は内部網をはずれても外部網の上に安全に着地することができ、このトランポリンからは墜落しない。もちろん、この外部網も内部網と同じように、下方から板ばねにより支えられている。そのため、使用者はトランポリンの上面の略全域で反復跳躍運動を行うことができる。
【００１０】
特に、請求項２の発明によれば、板ばねが、第１の板ばねの下部と、第２の板ばねの下部とを連結部により連結した形状（例えば上向きコの字形）である。そのため、従来のコイルスプリングよりも板ばねの強度を高めることができる。
【００１１】
また、請求項３の発明によれば、内部網と外部網との連結時には、内部網の連結紐と外部網の連結紐とを、外部緩衝部材および連結環の各一側方の結合部または各他側方の結合部に一連に掛け渡す。すなわち、各連結紐の先部を外部緩衝部材および連結環の各紐通し孔に挿通しながら、対応する平行片に順に引っ掛けて連結する。
安全トランポリンの使用時には、反復跳躍運動中、使用者があやまって内部網と外部網との間に配された第２の板ばねの上に落下することがある。しかしながら、この第２の板ばねの上端部には連結構造体が取り付けられている。そのため、落下時の衝撃力を、連結環に外着された外部緩衝部材および内部緩衝部材の弾性変形によって緩和することができる。
【００１２】
【発明の実施の形態】
以下、この発明の一実施例を図面に基づき詳細に説明する。
図１は、この発明の一実施例に係る安全トランポリンの斜視図である。図２は、この発明の一実施例に係る安全トランポリンの平面図である。図３は、この発明の一実施例に係る安全トランポリンの正面図である。図４は、この発明の一実施例に係る安全トランポリンの要部拡大断面図である。図５は、この発明の一実施例に係る安全トランポリンの板ばねと連結構造体との連結状態を示す正面図である。図６（ａ）は、この発明の一実施例に係る安全トランポリンの連結構造体を示す分解斜視図である。図６（ｂ）は、この発明の一実施例に係る安全トランポリンの連結構造体の組み立て状態を示す斜視図である。
【００１３】
図１〜図６において、１０は安全トランポリンである。この安全トランポリン１０は、水平に展張されて反復跳躍運動が可能な内部網１１と、内部網１１の外周縁に連続して水平に展張され、反復跳躍運動中に内部網１１から外れた使用者の墜落を防止する外部網１２と、これらの内部網１１および外部網１２を下方から弾性支持する略垂直に設けられた多数本の板ばね１３…とを備えている。
内部網１１は、高い弾力性が得られる合成糸（ナイロン糸）を原材料とした平面視して円形の網である。この内部網１１は、比較的編目が稠密に形成されている。
また、外部網１２もナイロン糸を原材料とした外径１０ｍの環状の網である。外部網１２は、材料費を廉価にするため、内部網１１よりも目が粗く形成されている。
【００１４】
各板ばね１３…は、外部網１２の外周縁に周方向へ向かって一定間隔ごとに配置され、その高さは高さ１．５ｍである。各板ばね１３…は、外部網１２の外周縁に上端部が連結された第１の板ばね１３Ａ…と、内部網１１および外部網１２の連結部分にその上端部が連結された第２の板ばね１３Ｂ…と、第１の板ばね１３Ａ…の下部および第２の板ばね１３Ｂ…の下部を連結する連結部１３Ｃ…とを備えている。
第１の板ばね１３Ａ…および第２の板ばね１３Ｂ…は、各中間部から下部が安全トランポリン１０の中心部側に若干湾曲した形状を有している。各第１の板ばね１３Ａ…は大径な連結リング板１４により連結され、各第２の板ばね１３Ｂ…は、小径な連結リング板１５により連結されている。
第１の板ばね１３Ａ…の上端部および第２の板ばね１３Ｂ…の上端部には、内部網１１と外部網１２とがそれぞれ連結される連結構造体１６…が設けられている。ただし、第１の板ばね１３Ａ…の場合には、後述する外部網１２の外周縁に配設された各連結紐１８…を、ゴムバンドを用いて、第１の板ばね１３Ａ…の上端部にそれぞれ直に結束してもよい。
【００１５】
次に、図４〜図６を参照して、連結構造体１６…について説明する。連結構造体１６…は、第１の板ばね１３Ａ…および第２の板ばね１３Ｂ…の各上端部に固定された円筒形状の連結環１７と、内部網１１の外周縁、外部網１２の内周縁および外周縁に各元部がそれぞれ取り付けられ、各先部が対応する連結環１７にそれぞれ連結される多数本の連結紐１８…と、連結環１７に外着される外部緩衝部材１９と、連結環１７に内着される内部緩衝部材２０とを有している。これらの第１の板ばね１３Ａ…および第２の板ばね１３Ｂ…は、内部網１１の下部と外部網１２の下部とに、同心円上に一定間隔ごとに配置されている。以下、連結構造体１６…の具体的な構造を、第２の板ばね用の連結構造体１６…を例に説明する。なお、第１の板ばね用の連結構造体１６…も、基本構造はこの第２の板ばね用と同じである。
【００１６】
これらの連結環１７および外部緩衝部材１９の各内部網側の端部には、連結紐１８…が掛け渡される複数本の平行片２１ａ…と、これらの平行片２１ａ…間に画成された紐通し孔２１ｂ…とを有する結合部２１，２１を配設し、連結環１７および外部緩衝部材１９の各外部網側の端部にも、結合部２１，２１をそれぞれ配設している。各平行片２１ａ…は、その長さ方向が連結環１７の軸線方向または外部緩衝部材１９の軸線方向に向いている。連結紐１８…は、内部網１１の外周縁の周方向へ向かって一定間隔ごとに配設されている。また、外部網１２の内周縁および外周縁の周方向へ向かって一定間隔ごとに配設されている。
【００１７】
各連結環１７の下部には、第１の板ばね１３Ａ…の上端部または第２の板ばね１３Ｂ…の上端部が嵌合されるソケット１７ａ…が配設されている。外部緩衝部材１９の下部には、ソケット１７ａ…を挿着するための溝部１９ａが形成されている。内部緩衝部材２０の外周面の軸線方向の両端部には、１対の鍔部２０ａ，２０ａが一体形成されている。連結構造体１６…を組み立てたとき、両鍔部２０ａ，２０ａの間の内部緩衝部材２０の部分に、連結環１７および外部緩衝部材１９が順に外嵌される構造になっている。
内部緩衝部材２０は、高弾力性の材質により成形されている。内部緩衝部材２０は、中心部に空洞を形成して衝撃の緩和性を高めた筒体である。
外部緩衝部材１９もまた高弾力性の材質により連結環１７の外周を覆うように形成され、衝撃を円滑に緩和するように構成されている。
【００１８】
次に、この一実施例の安全トランポリン１０の使用方法を説明する。
使用者が内部網１１の上に乗り、そこで屈伸運動を繰り返すと、板ばね１３のばね力によって、徐々にその跳躍の高さが大きくなる。こうして、使用者が反復跳躍運動を楽しめる。
反復跳躍運動中、使用者の落下位置が内部網１１ではなく、それより外方にはずれる場合がある。その際、従来のトランポリンでは網の外周に配置されたコイルスプリングの上に使用者が落下し、網と枠体との隙間に落ち込むおそれがあった。しかしながら、この安全トランポリン１０によれば、内部網１１の外周に外部網１２が配置されているので、使用者は内部網１１をはずしても外部網１２の上に安全に着地することができ、安全トランポリン１０からは墜落しない。もちろん、この外部網１２も内部網１１と同じように、下方から第１の板ばね１３Ａ…および第２の板ばね１３Ｂ…により支持されている。そのため、使用者は安全トランポリン１０の上面の略全域で反復跳躍運動を行うことができる。
【００１９】
また、内部網１１と外部網１２との連結時には、内部網１１の連結紐１８…と外部網１２の連結紐１８…とを、外部緩衝部材１９および連結環１７の各一側方の結合部２１，２１または各他側方の結合部２１，２１に一連に掛け渡す。すなわち、各連結紐１８…の先部を外部緩衝部材１９および連結環１７の各紐通し孔２１ｂ…に挿通しながら、対応する平行片２１ａ…に順に引っ掛けて連結する（図６（ｂ）参照）。
安全トランポリンの使用時には、反復跳躍運動中、使用者があやまって内部網１１と外部網１２との間に配された第２の板ばね１３Ｂ…（第１の板ばね１３Ａ…の場合も含む）の上に落下するおそれがある。しかしながら、この第２の板ばね１３Ｂ…の上端部には連結構造体１６…が取り付けられている。そのため、仮に落下してもその際の衝撃力を、連結環１７に外着された外部緩衝部材１９および内部緩衝部材２０の弾性変形によって緩和することができる。
このように、板ばね１３…として、第１の板ばね１３Ａ…の下部と、第２の板ばね１３Ｂ…の下部とを連結部１３Ｃ…により連結した上向きコの字形を採用した従来の水平配置されるコイルスプリングよりも板ばね１３…の強度を高めることができる。
【００２０】
【発明の効果】
請求項１の発明によれば、水平に展張される内部網の外周縁に外部網を連続して設け、また内部網と外部網とを略垂直な複数本の板ばねにより下方から支持したので、反復跳躍運動中、従来のように使用者が網と枠体との隙間に落ち込むおそがれない。また、このような構造を採用したため、トランポリンの上面の略全域で反復跳躍運動を行うことができる。
【００２１】
特に、請求項２の発明によれば、板ばねが、第１の板ばねの下部と第２の板ばね下部とを連結部により連結した形状であるので、従来のコイルスプリングよりも板ばねの強度を高めることができる。
【００２２】
また、請求項３の発明によれば、第２の板ばねの上端部に連結構造体を設けたので、反復跳躍運動中、仮に使用者が第２の板ばねの真上に落下しても、その落下時の衝撃力を、外部緩衝部材および内部緩衝部材の弾性変形によって緩和することができる。
【図面の簡単な説明】
【図１】この発明の一実施例に係る安全トランポリンの斜視図である。
【図２】この発明の一実施例に係る安全トランポリンの平面図である。
【図３】この発明の一実施例に係る安全トランポリンの正面図である。
【図４】この発明の一実施例に係る安全トランポリンの要部拡大断面図である。
【図５】この発明の一実施例に係る安全トランポリンの板ばねと連結構造体との連結状態を示す正面図である。
【図６】（ａ）は、この発明の一実施例に係る安全トランポリンの連結構造体の分解斜視図である。
（ｂ）は、この発明の一実施例に係る安全トランポリンの連結構造体の組み立て状態を示す斜視図である。
【符号の説明】
１０  安全トランポリン、
１１  内部網、
１２  外部網、
１３  板ばね、
１３Ａ  第１の板ばね、
１３Ｂ  第２の板ばね、
１３Ｃ  連結部、
１６  連結構造体、
１７  連結環、
１８  連結紐、
１９  外部緩衝部材、
２０  内部緩衝部材、
２１  結合部、
２１ａ  平行片、
２１ｂ  紐通し孔。
【図１】
0003993997.tif 000002
【図２】
0003993997.tif 000003
【図３】
0003993997.tif 000004
【図４】
0003993997.tif 000005
【図５】
0003993997.tif 000006
【図６】
0003993997.tif 000007